(57)【要約】【課題】既存の接続スリーブを使用しながら、張力が作用していない電線の心線の先端部を接続スリーブ内に容易に挿入することができるようにした間接活線作業用工具及び間接活線接続方法を提供する。【解決手段】この間接活線作業用工具は、接続スリーブ１００を保持するホルダー部１０の先端側に心線の先端部を接続スリーブ１００内に誘導する導入部２０が漏斗形状ないし凹曲面形状に形成されている。一方の電線１の心線１ａの先端部を接続スリーブ１００内に後端部１０２側から挿入し、この後端部１０２側を押圧することによって心線１ａの先端部を圧着した後、導入部２０を他方の電線２の先端部付近に位置させ、電線２の心線２ａの先端部を導入部２０内に誘導し、心線２ａの先端部を接続スリーブ１００内に先端部１０１側から挿入し、ホルダー部１０を接続スリーブ１００から外した後、接続スリーブ１００の先端部１０１側を押圧することによって心線２ａの先端部を圧着する。【選択図】図２
2010029040.tif 000002
【特許請求の範囲】
【請求項１】
張力が作用していない一方の電線と他方の電線の各心線の先端部を接続スリーブ内に各端部側から挿入し、圧着することによって両電線の心線を接続するために使用する間接活線作業用工具であって、
前記接続スリーブを保持するホルダー部部と、該ホルダー部部の先端部側に連続して漏斗形状ないし凹曲面形状に形成された導入部とが備えられていることを特徴とする間接活線作業用工具。
【請求項２】
前記ホルダー部は、離間して開いた状態と前記接続スリーブを挟持する閉じた状態とに開閉する半割れの一対のクランパを備え、各クランパの側面に連結体が同一方向に設けられ、前記クランパを閉じた状態に付勢するバネ部材が前記両連結体に架設され、
前記導入部は、前記各クランパの先端部に連続し、離間して開いた状態と漏斗形状ないし凹曲面形状に閉じた状態とに開閉する半割れの一対の撓曲板を備えていることを特徴とする請求項１に記載の間接活線作業用工具。
【請求項３】
前記一対のクランパは、接続スリーブの中間部を挟持しないように接続スリーブの先端部側と後端部側とをそれぞれ挟持する先端部と後端部とに分離していることを特徴とする請求項２に記載の間接活線作業用工具。
【請求項４】
前記導入部は、縮径した奥側端の内径が接続スリーブの内径と同一径とされていることを特徴とする請求項１ないし３のいずれか１項に記載の間接活線作業用工具。
【請求項５】
前記請求項１ないし４のいずれか１項に記載の間接活線作業用工具を使用する間接活線接続方法であって、
張力が作用していない一方の電線の心線の先端部を接続スリーブ内に後端部側から挿入し、該心線の先端部を圧着した後、該接続スリーブを前記ホルダー部に保持し、間接活線作業用工具を操作棒の先端に取り付け、前記導入部を他方の電線の先端部付近に位置させ、該電線の心線の先端部を導入部内から接続スリーブ内に挿入し、ホルダー部を接続スリーブから外した後、接続スリーブの先端側を押圧することによって該心線の先端部を圧着することを特徴とする間接活線接続方法。
【請求項６】
前記請求項３又は４に記載の間接活線作業用工具を使用する間接活線接続方法であって、
張力が作用していない一方の電線の心線の先端部を接続スリーブ内に後端部側から挿入し、該心線の先端部を圧着した後、該接続スリーブを前記ホルダー部に保持し、間接活線作業工具を操作棒の先端に取り付け、前記導入部を他方の電線の先端部付近に位置させ、該電線の心線の先端部を導入部内から接続スリーブ内に挿入し、接続スリーブの中間部の側面を押圧することによって該心線の先端部を圧着した後、ホルダー部を接続スリーブから外すことを特徴とする間接活線接続方法。
【発明の詳細な説明】
【技術分野】
【０００１】
本発明は、張力が作用していない一方の電線と他方の電線の各心線の先端部を接続スリーブ内に各端部側から挿入し、圧着することによって両電線を接続するために使用する間接活線作業用工具及びこの工具を使用する間接活線接続方法に関し、詳しくは、一方の電線の心線の先端部を圧着した接続スリーブを保持し、他方の電線の心線の先端部を接続スリーブ内に挿入しやすくするための間接活線作業用工具及び間接活線接続方法に関する。
【背景技術】
【０００２】
高圧引下線などの架線工事において、切断された一方の電線の先端部と他方の電線の先端部とは筒状の接続スリーブによって接続される。電線は、心線が絶縁被覆体によって被覆されているが、架線工事では、絶縁被覆体の先端部が剥がされ、心線を露出させている。
【０００３】
そして、作業者が手元で一方の電線の心線の先端部を接続スリーブ内に後端部側から挿入し、接続スリーブの後端部側の側面を所定の工具によって押圧することで、心線の先端部を接続スリーブに圧着する。その後、２人の作業者が間接活線工具などを使用して、例えば１．５ｍほど上方に離れた位置にある他方の電線の心線の先端部を接続スリーブ内に先端部側から挿入し、接続スリーブの先端部側の側面を押圧し、圧着することにより、両心線を接続している。
【０００４】
しかし、例えば、心線の外径は３．２ｍｍ、接続スリーブの内径は３．４ｍｍと非常に細いだけでなく、前記のように１．５ｍほど離れた上方において心線を接続スリーブ内に挿入しなければならないことから、この作業は至難であり、熟練者でないと、作業に手間取ってしまう。
【０００５】
そこで、ロボットを用いて他方の電線の心線の先端部を接続スリーブ内に先端部側から容易に挿入することができるようにした圧縮接続スリーブ用導体案内具（以下、「案内具」という。）が特許文献１に開示されている。図６に示すように、この案内具１１０は、接続スリーブ１００の先端部１０１に外嵌する取付部１１１と、この取付部１１１から離れるにしたがってラッパ状に開口した案内部１１２とを一体に形成したことを特徴としている。この案内具１１０が接続スリーブ１００の先端部１０１に外嵌されると、電線の先端部が案内部１１２の内壁に案内されながら、接続スリーブ１００内に挿入される。
【０００６】
【特許文献１】特開平８−３３９８４１号公報
【発明の開示】
【発明が解決しようとする課題】
【０００７】
特許文献１に開示された案内具１１０は、既存の接続スリーブ１００に追加して使用するものであるため、製造コストがかかるだけでなく、案内具１１０を接続スリーブ１００に外嵌する作業も面倒である。
【０００８】
そこで、本発明は、既存の接続スリーブを使用しながら、電線の心線の先端部を接続スリーブ内に容易に挿入することができるようにした間接活線作業用工具及び間接活線接続方法を提供することを課題とする。
【課題を解決するための手段】
【０００９】
本発明に係る間接活線作業用工具は、張力が作用していない一方の電線と他方の電線の各心線の先端部を接続スリーブ内に各端部側から挿入し、圧着することによって両電線の心線を接続するために使用する間接活線作業用工具であって、前記接続スリーブを保持するホルダー部と、該ホルダー部の先端部側に連続して漏斗形状ないし凹曲面形状に形成された導入部とが備えられていることを特徴としている。
【００１０】
この間接活線作業用工具によれば、接続スリーブを保持するホルダー部の先端側に導入部が形成されていることにより、別途の案内具などを既存の接続スリーブに追加することなく、電線の心線の先端部をスリーブ内に容易に挿入することができる。すなわち、導入部は、漏斗形状ないし凹曲面形状に形成されていることにより、開口側端部が接続スリーブの内径よりも大きく開口し、奥側に向かうにしたがって次第に縮径するため、電線の心線の先端部を導入部からホルダー部に保持された接続スリーブ内に挿入しやすくすることができる。
【００１１】
また、前記本発明に係る間接活線作業用工具において、前記ホルダー部は、離間して開いた状態と前記接続スリーブを挟持する閉じた状態とに開閉する半割れの一対のクランパを備え、各クランパの側面に連結体が同一方向に設けられ、前記クランパを閉じた状態に付勢するバネ部材が前記両連結体に架設され、前記導入部は、前記各クランパの先端部に連続し、離間して開いた状態と漏斗形状ないし凹曲面形状に閉じた状態とに開閉する半割れの一対の撓曲板を備えていることが好ましい。
【００１２】
この間接活線作業用工具によれば、ホルダー部が、開閉する半割れの一対のクランパを備え、この一対のクランパが連結体に架設されたバネ部材によって一対のクランパを閉じた状態に付勢されるため、バネ部材のバネ力に抗する力を作用させて一対のクランパを離間した状態として、接続スリーブを一対のクランパ間に配置し、バネ力に抗する力を解消することによって、一対のクランパが接続スリーブを挟持する。したがって、この間接活線作業用工具は、接続スリーブを極めて簡単にクランパに着脱することができる。しかも、導入部が半割れの一対の撓曲板を備えていることにより、導入部もクランパの開閉と一体に開閉し、閉じた状態で、漏斗形状ないし凹曲面形状に形成される。
【００１３】
また、前記本発明に係る間接活線作業用工具において、前記一対のクランパは、接続スリーブの中間部を挟持しないように接続スリーブの先端部側と後端部側とをそれぞれ挟持する先端部と後端部とに分離していてもよい。
【００１４】
この間接活線作業用工具によれば、クランパの先端部と後端部が接続スリーブの先端側と後端側とを挟持し、接続スリーブの中間部が挟持されないことにより、クランパが接続スリーブを挟持した状態で、接続スリーブの中間部を所定の工具によって押圧し、電線の心線の先端部を圧着することができる。
【００１５】
また、前記本発明に係る間接活線作業用工具において、前記導入部は、縮径した奥側端の内径が接続スリーブの内径と同一径とされていることが好ましい。
【００１６】
この間接活線作業用工具によれば、導入部の奥側端の内径が接続スリーブの内径と同一径とされることにより、導入部内に誘導された電線の心線の先端部が接続スリーブの端面に突き当たることなく、接続スリーブ内にスムーズに挿入することができる。
【００１７】
そして、本発明に係る間接活線接続方法は、前記いずれかの間接活線作業用工具を使用する間接活線接続方法であって、張力が作用していない一方の電線の心線の先端部を接続スリーブ内に後端部側から挿入し、該心線の先端部を圧着した後、該接続スリーブを前記ホルダー部に保持し、間接活線作業用工具を操作棒の先端に取り付け、前記導入部を他方の電線の先端部付近に位置させ、該電線の心線の先端部を導入部内から接続スリーブ内に挿入し、ホルダー部を接続スリーブから外した後、接続スリーブの先端側を押圧することによって該心線の先端部を圧着することを特徴としている。
【００１８】
この間接活線接続方法によれば、ホルダー部が接続スリーブを保持することにより、接続スリーブの先端部に導入部が連続する状態となり、本発明にかかる間接活線作業用工具を操作棒の先端に取り付けることにより、接続する他方の電線が１．５ｍほど離れた上方に位置していても、この電線の心線の先端部を導入部内に位置させやすく、したがって、この心線の先端部を接続スリーブ内に先端部側から容易に挿入することができる。心線の先端部が接続スリーブ内に先端部側から挿入されると、後は、ホルダー部を接続スリーブから外し、接続スリーブの先端側の側面を所定の工具によって押圧することにより、心線の先端部を圧着する。
【００１９】
また、前記と異なる本発明に係る間接活線接続方法は、前記先端部と後端部とに分離した一対のクランパを備えた間接活線作業用工具を使用する間接活線接続方法であって、張力が作用していない一方の電線の心線の先端部を接続スリーブ内に後端部側から挿入し、該心線の先端部を圧着した後、該接続スリーブを前記ホルダー部に保持し、間接活線作業工具を操作棒の先端に取り付け、前記導入部を他方の電線の先端部付近に位置させ、該電線の心線の先端部を導入部内から接続スリーブ内に挿入し、接続スリーブの中間部の側面を押圧することによって該心線の先端部を圧着した後、ホルダー部を接続スリーブから外すことを特徴としている。
【００２０】
この間接活線接続方法によれば、クランパが先端部と後端部とに分離し、接続スリーブの中間部がクランパによって挟持されないため、他方の電線の心線の先端部が接続スリーブ内に先端部側から挿入され後、ホルダー部が接続スリーブを保持したまま、すなわち、クランパの先端部と後端部が接続スリーブの先端部側と後端部側とを挟持したまま、接続スリーブの中間部の側面を所定の工具によって押圧し、心線の先端部を圧着することができる。そして、その後、ホルダー部を接続スリーブから外す。
【発明の効果】
【００２１】
本発明によれば、接続スリーブを保持するホルダー部の先端部に漏斗形状ないし凹曲面形状に形成された導入部を備えた間接活線作業用工具が提供されるため、既存の接続スリーブを使用しながら、電線の心線の先端部を接続スリーブに容易に挿入することができる。したがって、接続スリーブに接続するための部品を別途、製造し、組み立てることなく、一方の電線と他方の電線の各心線を接続スリーブによって接続する作業性を向上させることができる。
【発明を実施するための最良の形態】
【００２２】
本発明に係る間接活線作業用工具（以下、主として「工具」という。）の第１の実施形態について図１ないし図３を参照しながら説明する。この工具は、張力の作用していない一方の電線１と他方の電線２の各心線１ａ，２ａの先端部が挿入される筒状の接続スリーブ１００を保持するホルダー部１０と、このホルダー部１０の先端部側に漏斗形状ないし図示しない凹曲面形状（椀形状又はラッパ形状）に形成された導入部２０とを備えたことを特徴としている。
【００２３】
ホルダー部１０は、図１（ｂ）に示すように、離間した開いた状態と接続スリーブ１００を挟持する閉じた状態とに開閉する一対のクランパ１１，１１を備えている。一対のクランパ１１，１１は、蝶番のような連結部材１２によって外側面が接続され、開閉自在とされている。また、このクランパ１１，１１の内面は樋形状に形成され、閉じられた状態において、接続スリーブ１００の外周面に密着する筒状となる。
【００２４】
そして、導入部２０は、各クランパ１１，１１の先端部に連続して設けられた半割れの一対の撓曲板２１，２１を備え、クランパ１１，１１が閉じた状態において、漏斗形状ないし図示しない凹曲面形状とされる。したがって、導入部２０の開口側端部は、閉じた一対のクランパ１１，１１の外径よりも大きく拡開している。また、導入部２０の奥側端の内径は、導入された心線２ａの先端部が接続スリーブ１００の端面に突き当たらないように、クランパ１１，１１の内径よりも小さく、接続スリーブ１００の内径と同一径とされている。
【００２５】
そして、前記各クランパ１１，１１には、連結部材１２側に板状の連結体３０，３０が同一方向に設けられ、両連結体３０，３０にバネ部材３１が架設されている。バネ部材３１は、一対のクランパ１１，１１が閉じた状態となるように付勢するもので、連結体３０，３０の先端部に内向きの力が加えられると、バネ力に抗して、クランパ１１，１１が開くようにされている。
【００２６】
この工具は、以上のように構成され、次に、この工具を使用して、電線１，２の心線１ａ，２ａ同士を接続する方法について説明する。
【００２７】
まず、作業者が手元で、張力の作用していない一方の電線１の心線１ａの先端部を接続スリーブ１００内に後端部１０２側から挿入し、接続スリーブ１００の後端部１０２側の側面を所定の工具（図示せず）によって押圧することで、心線１ａの先端部を圧着しておく。そして、作業者が図１（ｂ）の仮想線に示すように、連結体３０，３０の先端部に内向きの力を作用することによりバネ部材３１のバネ力に抗して、一対のクランパ１１，１１を離隔させ、前記接続スリーブ１００をクランパ１１，１１の間に位置させる。
【００２８】
そして、作業者が連結体３０，３０の先端部に作用させた力を解消すると、図２に示すように、バネ部材３１のバネ力によって一対のクランパ１１，１１が接続スリーブ１００の先端部１０１側を挟持する状態に保持する。このとき、接続スリーブ１００の先端縁が導入部２０の奥側端に当接するようにする。
【００２９】
そして、連結体３０，３０の先端部を間接活線把持工具などの操作棒（図示せず）の先端部に取り付ける。操作棒の先端部には、連結体３０，３０の先端部に内向きの力を作用させる固定把持片と回動把持片とが備えられている。固定把持片が一方の連結体３０の先端部に接続され、回動把持片が他方の連結体３０の先端部に接続されることにより、一対の連結体３０，３０の先端部に内向きの力を作用させることができるようにされている。
【００３０】
そして、作業者が操作棒によってクランパ１１，１１に保持されている接続スリーブ１００を上方に持ち上げ、導入部２０を他方の電線２の先端部付近に位置させる。続いて、別の作業者又は同じの作業者が他方の電線２の先端部を保持した操作棒（図示せず）を移動させて、他方の電線２の心線２ａの先端部を導入部２０内に案内する。又は、クランパ１１，１１を取り付けた操作棒を移動させて、他方の電線２の心線２ａの先端部を導入部２０内に位置させる。いずれにしても、心線２ａの先端部は、図２の実線に示すように、接続スリーブ１００と同心に位置している場合だけでなく、図２の仮想線に示すように偏向する場合があるが、導入部２０に案内され、図３に示すように接続スリーブ１００内に容易に挿入することができる。
【００３１】
その後、作業者が操作棒の先端の回動把持片を操作し、バネ部材３１のバネ力に抗して連結体３０，３０の先端部を近接させ、一対のクランパ１１，１１を離間することにより、一対のクランパ１１，１１を接続スリーブ１００から外し、接続スリーブ１００の先端側を露出させる。この状態においては、他方の電線２の心線２ａの先端部は、接続スリーブ１００内から抜けることがない。そして、この接続スリーブ１００の先端側の側面を所定の工具によって押圧することにより、心線２ａの先端部を圧着すると、この一連の作業が終了する。
【００３２】
次に、間接活線作業用工具の第２の実施形態について図４を参照しながら説明する。この工具は、クランパ１１，１１が接続スリーブ１００の先端部１０１側と後端部１０２側とをそれぞれ挟持する先端部１１ａと後端部１１ｂとに分離し、接続スリーブ１００の中間部１０３を挟持しないようにしたことを特徴としている。なお、第２の実施形態における接続スリーブ１００の中間部１０３は、第１の実施形態における接続スリーブ１００の先端部１０１側の後部ないし中間部に相当する。
【００３３】
他の構成は、第１の実施形態と同様であるため、ここで、この工具を使用して、電線１，２の心線１ａ，２ａ同士を接続する方法について説明する。
【００３４】
第２の実施形態の工具においても、第１の実施形態と同じく、張力の作用していない一方の電線１の心線１ａを圧着した接続スリーブ１００を一対のクランパ１１，１１が保持する。このクランパ１１，１１は、先端部１１ａが接続スリーブ１００の先端部１０１側を挟持し、後端部１１ｂが接続スリーブ１００の後端部１０２側を挟持することにより、接続スリーブ１００の中間部１０３が露出している。
【００３５】
そして、第１の実施形態と同じく、作業者が各連結体３０の先端部を操作棒（図示せず）の先端部に取り付け、張力が作用していない他方の電線２の先端部付近に位置させ、心線２ａの先端部を接続スリーブ１００内に挿入する。心線２ａの先端部は、導入部２０によって接続スリーブ１００内に容易に挿入することができる。
【００３６】
続いて、クランパ１１の先端部１１ａと後端部１１ｂとが接続スリーブ１００の先端部１０１側と後端部１０２側とを保持した状態のまま、露出している接続スリーブ１００の中間部１０３を所定の工具５０，５０によって押圧し、心線２ａの先端部を所定の工具５０，５０によって圧着する。接続スリーブ１００がクランパ１１，１１によって挟持されているため、接続スリーブ１００は安定した状態で、所定の工具５０，５０に押圧される。その後、操作棒の先端の回動把持片を操作して、一対のクランパ１１，１１を離間することによって接続スリーブ１００から外す。
【００３７】
次に間接活線作業用工具の第３の実施形態について図５を参照しながら説明する。この工具は、一方の電線１の絶縁被覆体１ｂを保持するグリップ部４０と、接続スリーブ１００を嵌める溝部１３を形成したホルダー部１０と、このホルダー部１０の先端部に形成された導入部２０とを備えている。
【００３８】
グリップ部４０は、半割りとされて開閉し、かつ、内側面が樋形状に形成された一対のクランパ４１，４１を備えている。各クランパ４１，４１は、閉じた状態において、電線１の絶縁被覆体１ｂに密着する。また、各クランパ４１，４１には、操作棒の把持片４２（図５（ａ）において片方のみ図示）が取り付けられる。
【００３９】
また、ホルダー部１０に形成された溝部１３は、当然、接続スリーブ１００の外径と同じ幅に形成されている。そして、ホルダー部１０の先端側には、接続スリーブ１００を押圧するため、先端部が溝部１３内に突出自在とされた上下二対のプッシャ１４，１４が備えられている。上下のプッシャ１４，１４は、定常状態において、側面視Ｖ字形に成形された板バネ１５によって離間し、所定の工具によってバネ力に抗して近接し、接続スリーブ１００を押圧するようにされている。バネ１５の中間部は、ホルダー部１０内に埋設された軸体１６に保持されている。
【００４０】
また、導入部２０には、前記溝部１３に連続するスリット（図示せず）が形成されている。そして、導入部２０は、図示したような椀形状の曲面形状だけでなく、図示しないラッパ形状の曲面形状や漏斗形状に形成してもよい。
【００４１】
ここで、第３の実施形態の工具を使用して、電線の心線同士を接続する方法について説明する。
【００４２】
第３の実施形態の工具においては、張力が作用していない電線１の心線１ａを接続スリーブ１００内に後端部１０２側から挿入し、圧着しておく。この接続スリーブ１００をホルダー部１０の溝部１３内に嵌め込み、グリップ部４０のクランパ４１，４１を閉じた状態とし、グリップ部４０が電線１の絶縁被覆体１ｂを保持する。なお、プッシャ１４，１４の先端部は、板バネ１５によって溝部１３内に突出していないため、接続スリーブ１００を容易に溝部１３内に嵌め込むことができる。
【００４３】
そして、各クランパ４１，４１を操作棒の把持片４２に取り付け、ホルダー部１０の溝部１３内に嵌め込まれた接続スリーブ１００を上方に持ち上げ、導入部２０を他方の電線２の先端部付近に位置させる。続いて、他方の電線２の先端部を保持した操作棒によって、電線２の心線２ａの先端部を導入部２０に案内する。導入部２０は、凹曲面形状に形成されているため、心線２ａの先端部は、接続スリーブ１００内に先端部１０１側から容易に挿入される。
【００４４】
そして、プッシャ１４，１４を所定の工具によって押圧することにより、プッシャ１４，１４の先端部を溝部１３内に突出させ、接続スリーブ１００を押圧し、心線２ａの先端部を圧着する。その後、グリップ部４０のクランパ４１，４１を離隔させ、ホルダー部１０の溝部１３内から接続スリーブ１００を外す。導入部２０にスリットが形成されていることから、他方の電線２も導入部２０から外れる。
【００４５】
なお、本発明は、前記実施の形態に限定することなく、種々変更することができる。例えば、第２の実施の形態で説明したクランパ１１を先端部１１ａと後端部１１ｂとに分離した間接活線工具によっても、ホルダー部１０を接続スリーブ１００から外した後に、接続スリーブ１００の中間部１０３の側面を押圧し、心線２ａの先端部を圧着してもよい。
【００４６】
また、第３の実施の形態で説明したホルダー部１０にプッシャ１４，１４に備えず、ホルダー部１０を接続スリーブ１００から外した後に、所定の工具によって接続スリーブ１００を押圧し、心線２ａの先端部を圧着してもよい。また、導入部２０の奥側端の内径は、接続スリーブ１００の内径と同一径とすることが好ましいが、接続スリーブ１００の外径と同一径としてもよい。
【図面の簡単な説明】
【００４７】
【図１】本発明に係る間接活線作業用工具の第１の実施形態を示し、（ａ）は正面図、（ｂ）は側面図である。
【図２】本発明に係る間接活線作業用工具の第１の実施形態を示し、電線を接続している途中の状態を示す断面正面図である。
【図３】本発明に係る間接活線作業用工具の第１の実施形態を示し、電線を接続している最終段階を示す断面平面図である。
【図４】本発明に係る間接活線作業用工具の第２の実施形態を示し、電線を接続している最終段階を示す断面正面図である。
【図５】本発明に係る間接活線作業用工具の第３の実施形態を示し、（ａ）は断面正面図、（ｂ）は（ａ）のＢ−Ｂ線断面図、（ｃ）は（ａ）のＣ−Ｃ線断面図、（ｄ）は（ａ）のＤ−Ｄ線断面図である。
【図６】接続スリーブに取り付ける従来の圧縮接続スリーブ用導体案内具を示す一部断面正面図である。
【符号の説明】
【００４８】
１………電線
１ａ……心線
２………電線
２ａ……心線
１０……ホルダー部
１１……クランパ
１１ａ…先端部
１３……溝部
２０……導入部
２１……撓曲板
３０……連結体
３１……バネ部材
１００…接続スリーブ
１０１…先端部
１０２…後端部
１０３…中間部
【図１】
2010029040.tif 000003
【図２】
2010029040.tif 000004
【図３】
2010029040.tif 000005
【図４】
2010029040.tif 000006
【図５】
2010029040.tif 000007
【図６】
2010029040.tif 000008